(57)【要約】  プラント工事における配管の溶接継手仕様として配管材料の材質および溶接施工法を溶接継手に関連付ける溶接継手仕様テーブル１０１ａと、材質を分類する母材区分、溶接に用いる溶接材料を分類する溶接材料区分、および溶接施工法を分類する溶接方法区分を溶接施工法に関連付ける溶接施工法テーブル１０１ｃと、母材区分および溶接材料区分を溶接材料に関連付ける溶接材料特定テーブル１０１ｆと、溶接継手仕様テーブル１０１ａから所望の溶接継手に係る溶接施工法および材質を取得すると共に、溶接施工法テーブル１０１ｃから溶接材料区分を取得し、材質に係る母材区分と溶接材料区分に基づいて溶接材料特定テーブル１０１ｆから溶接継手に係る溶接材料を特定する溶接材料特定部１０５と、を備えることを特徴とする溶接作業管理装置。
2010106816.tif 000002
【特許請求の範囲】
【請求項１】
プラント工事において互いに溶接される配管の間の溶接継手仕様として少なくとも溶接継手の識別子、溶接施工法、開先形状、前記配管の材質、配管呼び径、および配管呼び肉厚を入力する溶接継手仕様入力部と、
前記開先形状、前記配管呼び径、および前記配管呼び肉厚を前記溶接部の厚さに関連付けて記憶する溶接部の厚さ特定テーブルと、
前記配管の前記材質を分類する母材区分、前記溶接に用いる溶接材料を分類する溶接材料区分、および前記溶接施工法を分類する溶接方法区分を前記溶接施工法に関連付けて記憶する溶接施工法テーブルと、
前記入力された前記開先形状、前記配管呼び径、および前記配管呼び肉厚をキーとして前記溶接部の厚さ特定テーブルを参照して前記開先形状、前記配管呼び径、および前記配管呼び肉厚の整合性を検査すると共に、前記材質に係る母材区分をキーとして前記溶接施工法テーブルを参照して前記材質の組合せと前記溶接施工法との整合性を検査する溶接継手仕様検査部と、
を備えることを特徴とする溶接作業管理装置。
【請求項２】
前記溶接継手仕様を登録する溶接継手仕様テーブルと、
前記溶接継手仕様検査部において、前記溶接部の厚さ特定テーブルを参照してなされた前記開先形状、前記配管呼び径、および前記配管呼び肉厚が整合性を有し、更に溶接施工法テーブルを参照してなされた前記材質の組合せと前記溶接施工法とが整合性を有するとき、この溶接継手仕様を前記溶接継手仕様テーブルに登録する溶接継手仕様登録部と、
を更に備えることを特徴とする、請求項１記載の溶接作業管理装置。
【請求項３】
前記配管の母材区分、配管の材質および前記溶接材料区分を前記溶接材料銘柄に関連付けて記憶する溶接材料特定テーブルを更に備えることを特徴とする請求項２記載の溶接作業管理装置。
【請求項４】
前記溶接継手仕様テーブルから、前記溶接施工法、前記配管の材質を取得し前記溶接施工法テーブルから前記溶接材料区分を取得して前記溶接材料を特定し、この特定された溶接材料を前記溶接材料特定テーブルに登録する溶接材料特定部を更に備えることを特徴とする、請求項３記載の溶接作業管理装置。
【請求項５】
プラント工事において互いに溶接される配管の間の溶接継手仕様として少なくとも前記配管の材質および溶接施工法を溶接継手に関連付けて記憶する溶接継手仕様テーブルと、
前記材質を分類する母材区分、前記溶接に用いる溶接材料を分類する溶接材料区分、および前記溶接施工法を分類する溶接方法区分を前記溶接施工法に関連付けて記憶する溶接施工法テーブルと、
前記母材区分および前記溶接材料区分を前記溶接材料に関連付けて記憶する溶接材料特定テーブルと、
前記溶接継手仕様テーブルから所望の溶接継手に係る前記溶接施工法および前記材質を取得すると共に、前記溶接施工法テーブルから前記溶接材料区分を取得し、前記取得された材質に係る母材区分と前記溶接材料区分に基づいて前記溶接材料特定テーブルから前記溶接継手に係る前記溶接材料を特定する溶接材料特定部と、
を備えることを特徴とする溶接作業管理装置。
【請求項６】
前記溶接継手仕様テーブルが、前記溶接継手仕様として前記配管の開先形状、配管呼び径、および配管呼び肉厚を更に含んでおり、かつ、
前記開先形状、前記配管呼び径、および前記配管呼び肉厚を前記溶接部の厚さに関連付けて記憶する溶接部の厚さ特定テーブルと、
を更に備えることを特徴とする、請求項５記載の溶接作業管理装置。
【請求項７】
前記溶接方法区分、前記母材区分、および前記配管呼び径を溶接作業に必要な溶接資格に関連付けて記憶する溶接資格特定テーブルと、
前記溶接継手仕様テーブルから所望の溶接継手に係る前記材質、前記開先形状、前記配管呼び径、前記配管呼び肉厚、および前記溶接施工法を取得すると共に、前記溶接施工法テーブルから前記溶接方法区分、前記溶接部の厚さ特定テーブルから前記溶接部の厚さをそれぞれ取得し、前記材質に係る母材区分、前記溶接部の厚さ、および前記溶接方法区分に基づいて前記溶接資格特定テーブルから前記溶接継手に係る前記溶接資格を特定する溶接資格特定部と、
を更に備えることを特徴とする、請求項６記載の溶接作業管理装置。
【請求項８】
ＧＵＩによって表示される登録画面を介して前記溶接継手仕様として少なくとも前記溶接継手の識別子、前記溶接施工法、前記開先形状、前記材質、前記配管呼び径、および前記配管呼び肉厚を入力する溶接継手仕様入力部と、
前記入力された前記開先形状、前記配管呼び径、および前記配管呼び肉厚をキーとして前記溶接部の厚さ特定テーブルを参照して前記開先形状、前記配管呼び径、および前記配管呼び肉厚の整合性を検査すると共に、前記材質に係る母材区分をキーとして前記溶接施工法テーブルを参照して前記材質の組合せと前記溶接施工法との整合性を検査する溶接継手仕様検査部と、
を更に備えることを特徴とする請求項７記載の溶接作業管理装置。
【請求項９】
プラント工事において互いに溶接される配管の間の溶接継手仕様として少なくとも前記配管の材質、開先形状、配管呼び径、配管呼び肉厚、および溶接施工法を溶接継手に関連付けて記憶する溶接継手仕様テーブルと、
前記開先形状、前記配管呼び径、および前記配管呼び肉厚を前記溶接部の厚さに関連付けて記憶する溶接部の厚さ特定テーブルと、
前記溶接施工法を分類する溶接方法区分、前記材質を分類する母材区分、および前記配管呼び径を溶接作業に必要な溶接資格に関連付けて記憶する溶接資格特定テーブルと、
前記溶接継手仕様テーブルから所望の溶接継手に係る前記材質、前記開先形状、前記配管呼び径、前記配管呼び肉厚、および前記溶接施工法を取得すると共に、溶接部の厚さ特定テーブルから前記溶接方法区分、前記溶接部の厚さ特定テーブルから前記溶接部の厚さをそれぞれ取得し、前記取得された材質に係る母材区分、前記溶接部の厚さ、および前記溶接方法区分に基づいて前記溶接資格特定テーブルから前記溶接継手に係る前記溶接資格を特定する溶接資格特定部と、
を備えることを特徴とする溶接作業管理装置。
【請求項１０】
プラント工事において互いに溶接される配管の間の溶接継手仕様として少なくとも前記配管の材質、開先形状、配管呼び径、配管呼び肉厚、および溶接施工法を溶接継手に関連付けて記憶する溶接継手仕様テーブルと、
ＧＵＩによって表示される登録画面を介して前記溶接継手仕様を入力する溶接継手仕様入力部と、
前記材質を分類する母材区分、前記溶接施工法を分類する溶接方法区分を前記溶接施工法に関連付けて記憶する溶接施工法テーブルと、
前記開先形状、前記配管呼び径、および前記配管呼び肉厚を前記溶接部の厚さに関連付けて記憶する溶接部の厚さ特定テーブルと、
前記溶接継手仕様入力部において入力された前記開先形状、前記配管呼び径、および前記配管呼び肉厚をキーとして前記溶接部の厚さ特定テーブルを参照して前記開先形状、前記配管呼び径、および前記配管呼び肉厚の整合性を検査すると共に、前記材質をキーとして前記溶接施工法テーブルを参照して前記材質の組合せと前記溶接施工法との整合性を検査する溶接継手仕様検査部と、
を備えることを特徴とする溶接作業管理装置。
【請求項１１】
プラント工事において互いに溶接される配管の間の溶接継手仕様に基づいて溶接作業指示情報を作成する溶接作業管理装置と、
この溶接作業管理装置から前記溶接作業指示情報を取得する溶接作業端末と、からなり、
前記溶接作業管理装置は、
前記溶接継手仕様として少なくとも前記配管の材質、開先形状、配管呼び径、配管呼び肉厚、および溶接施工法を溶接継手に関連付けて記憶する溶接継手仕様テーブルと、
前記材質を分類する母材区分、前記溶接に用いる溶接材料を分類する溶接材料区分、および前記溶接施工法を分類する溶接方法区分を前記溶接施工法に関連付けて記憶する溶接施工法テーブルと、
前記母材区分および前記溶接材料区分を前記溶接材料に関連付けて記憶する溶接材料特定テーブルと、
前記溶接継手仕様テーブルから所望の溶接継手に係る前記溶接施工法および前記材質を取得すると共に、前記溶接施工法テーブルから前記溶接材料区分を取得し、前記取得された材質に係る母材区分と前記溶接材料区分に基づいて前記溶接材料特定テーブルから前記溶接継手に係る前記溶接材料を特定する溶接材料特定部と、
を備えることを特徴とする溶接作業管理システム。
【請求項１２】
前記溶接方法区分、前記母材区分、および前記配管呼び径を溶接作業に必要な溶接資格に関連付けて記憶する溶接資格特定テーブルと、
前記溶接継手仕様テーブルから所望の溶接継手に係る前記材質、前記開先形状、前記配管呼び径、前記配管呼び肉厚、および前記溶接施工法を取得すると共に、前記溶接施工法テーブルから前記溶接方法区分、前記溶接部の厚さ特定テーブルから前記溶接部の厚さをそれぞれ取得し、前記材質に係る母材区分、前記溶接部の厚さ、および前記溶接方法区分に基づいて前記溶接資格特定テーブルから前記溶接継手に係る前記溶接資格を特定する溶接資格特定部と、
前記特定された前記溶接材料および前記溶接資格を前記溶接継手毎に関連付けた前記溶接作業指示情報を作成する溶接作業指示部と、
溶接士の識別情報と保有溶接資格を関連付けて記憶する保有溶接資格テーブルとを、更に備え、
前記溶接作業端末は、
前記作成された前記溶接作業指示情報を取得する溶接作業指示取得部と、
溶接士の識別情報をキーとして前記保有溶接資格テーブルを参照して前記溶接士の保有溶接資格を取得する保有溶接資格取得部と、
前記取得された保有溶接資格が前記溶接作業指示情報に含まれる溶接資格と一致するか否かを前記溶接継手毎に判定する溶接資格判定部と、
を備えることを特徴とする、請求項１１記載の溶接作業管理システム。
【請求項１３】
前記溶接作業管理装置は、
ＧＵＩによって表示される登録画面を介して前記溶接継手仕様として少なくとも前記溶接継手の識別子、前記溶接方法区分、前記開先形状、前記材質、前記配管呼び径、および前記配管呼び肉厚を入力する溶接継手仕様入力部と、
前記入力された前記開先形状、前記配管呼び径、および前記配管呼び肉厚をキーとして前記溶接部の厚さ特定テーブルを参照して前記開先形状、前記配管呼び径、および前記配管呼び肉厚の整合性を検査すると共に、前記材質に係る母材区分をキーとして前記溶接施工法テーブルを参照して前記材質の組合せと前記溶接施工法との整合性を検査する溶接継手仕様検査部と、
を更に備えることを特徴とする請求項１２記載の溶接作業管理システム。
【請求項１４】
プラント工事において互いに溶接される配管の間の溶接継手仕様として溶接継手に前記配管の材質および溶接施工法を関連付けて記憶する溶接継手仕様テーブルから前記溶接継手の識別子をキーとして前記溶接継手仕様を取得する溶接継手仕様取得ステップと、
前記材質を分類する母材区分、前記溶接に用いる溶接材料を分類する溶接材料区分、および前記溶接施工法を分類する溶接方法区分を前記溶接施工法に関連付けて記憶する溶接施工法テーブルから前記溶接継手仕様取得ステップにおいて取得された溶接継手仕様に含まれる溶接施工法に基づいて前記溶接材料区分を取得する溶接材料区分取得ステップと、
前記母材区分および前記溶接材料区分を前記溶接材料の識別情報に関連付けて記憶する溶接材料特定テーブルから前記溶接継手仕様に含まれる材質に係る母材区分と前記溶接材料区分取得ステップにおいて取得された溶接材料区分に基づいて前記溶接継手に係る前記溶接材料を特定する溶接材料特定ステップと、
を有することを特徴とする溶接作業管理方法。
【請求項１５】
プラント工事において互いに溶接される配管の間の溶接継手仕様として少なくとも前記配管の材質、開先形状、配管呼び径、配管呼び肉厚、および溶接施工法を溶接継手に関連付けて記憶する溶接継手仕様テーブルから前記溶接継手の識別子をキーとして前記溶接継手仕様を取得する溶接継手仕様取得ステップと、
前記開先形状、前記配管呼び径、および前記配管呼び肉厚を前記溶接部の厚さに関連付けて記憶する溶接部の厚さ特定テーブルから前記溶接継手仕様取得ステップにおいて取得された前記溶接継手仕様に含まれる前記開先形状、前記配管呼び径、および前記配管呼び肉厚に基づいて前記溶接部の厚さを取得する溶接部の厚さ取得ステップと、
前記材質を分類する母材区分および前記溶接施工法を分類する溶接方法区分を前記溶接施工法に関連付けて記憶する溶接施工法テーブルから前記溶接継手仕様取得ステップにおいて取得された前記溶接継手仕様に含まれる溶接施工法に基づいて前記溶接材料区分を取得する溶接方法区分取得ステップと、
前記溶接方法区分、前記母材区分、および前記配管呼び径を溶接作業に必要な溶接資格に関連付けて記憶する溶接資格特定テーブルから前記溶接継手仕様に含まれる前記材質に係る母材区分、前記溶接部の厚さ取得ステップにおいて取得された前記溶接部の厚さ、および溶接方法区分取得ステップにおいて取得された前記溶接方法区分に基づいて前記溶接継手に係る前記溶接資格を特定する溶接資格特定ステップと、
を有することを特徴とする溶接作業管理方法。
【請求項１６】
ＧＵＩによって表示される登録画面を介してプラント工事において互いに溶接される配管の間の溶接継手仕様として少なくとも前記配管の材質、開先形状、配管呼び径、配管呼び肉厚、および溶接施工法を溶接継手毎に入力する溶接継手仕様入力ステップと、
前記溶接継手仕様入力ステップにおいて入力された前記開先形状、前記配管呼び径、および前記配管呼び肉厚をキーとして前記開先形状、前記配管呼び径、および前記配管呼び肉厚を前記溶接部の厚さに関連付けて記憶する溶接部の厚さ特定テーブルを参照して前記開先形状、前記配管呼び径、および前記配管呼び肉厚の整合性を検査する第１の整合性検査ステップと、
前記溶接継手仕様入力ステップにおいて入力された前記材質をキーとして前記材質を分類する母材区分、前記溶接施工法を分類する溶接方法区分を前記溶接施工法に関連付けて記憶する溶接施工法テーブルを参照して前記材質の組合せと前記溶接施工法との整合性を検査する第２の整合性検査ステップと、
前記第１および第２の整合性検査ステップにおける検査結果に基づいて前記入力された溶接継手仕様に対する警告情報をそれぞれ出力する警告情報出力ステップと、
を有することを特徴とする溶接作業管理方法。
【請求項１７】
プラント工事において互いに溶接される配管の間の溶接継手仕様として少なくとも溶接継手の識別子、溶接施工法、開先形状、前記配管の材質、配管呼び径、および配管呼び肉厚を溶接継手仕様入力部に入力し、
前記開先形状、前記配管呼び径、および前記配管呼び肉厚を前記溶接の部分の厚さに関連付けて溶接部の厚さ特定テーブルに記憶し、
前記配管の前記材質を分類する母材区分、前記溶接に用いる溶接材料を分類する溶接材料区分、および前記溶接施工法を分類する溶接方法区分を前記溶接施工法に関連付けて溶接施工法テーブルに記憶し、
前記入力された前記開先形状、前記配管呼び径、および前記配管呼び肉厚をキーとして前記溶接部の厚さ特定テーブルを参照して前記開先形状、前記配管呼び径、および前記配管呼び肉厚の整合性を検査すると共に、前記材質に係る母材区分をキーとして前記溶接施工法テーブルを参照して前記材質の組合せと前記溶接施工法との整合性を検査する
ことを特徴とする溶接作業管理方法。
【請求項１８】
前記溶接部の厚さ特定テーブルを参照してなされた前記開先形状、前記配管呼び径、および前記配管呼び肉厚が整合性を有し、更に溶接施工法テーブルを参照してなされた前記材質の組合せと前記溶接施工法とが整合性を有するとき、この溶接継手仕様を溶接継手仕様テーブルに登録する
ことを特徴とする、請求項１７記載の溶接作業管理方法。
【請求項１９】
前記溶接継手仕様テーブルから、前記溶接施工法、前記配管の材質を取得し前記溶接施工法テーブルから前記溶接材料区分を取得して前記溶接材料を特定し、この特定された溶接材料を、前記配管の母材区分、配管の材質および前記溶接材料区分を前記溶接材料銘柄に関連付けて記憶する溶接材料特定テーブルに、登録することを特徴とする、請求項１８載の溶接作業管理方法。
【請求項２０】
プラント工事における配管の溶接作業に必要な溶接資格を含む溶接作業指示情報と溶接士の保有溶接資格情報を格納する溶接作業管理装置に接続された溶接作業端末であって、
前記溶接作業管理装置から溶接継手毎に前記溶接作業指示情報を取得する溶接作業指示取得部と、
前記溶接士の識別情報をキーとして前記溶接作業管理装置から前記保有溶接資格情報を取得する保有溶接資格取得部と、
前記取得された保有溶接資格情報が前記溶接作業指示取得部において取得された溶接作業指示情報に含まれる溶接資格と一致するか否かを前記溶接継手毎に判定する溶接資格判定部と、
前記判定の結果に基づいて警告情報をそれぞれ出力する警告情報出力部と、
を備えることを特徴とする溶接作業端末。
【発明の詳細な説明】
【技術分野】
【０００１】
本発明は、プラント工事における配管溶接作業および溶接管理作業の支援を行う溶接作業管理装置、溶接作業管理システム、溶接作業管理方法、および溶接作業端末に関する。
【背景技術】
【０００２】
プラント工事における配管工事では、法律等に基づく溶接検査や、それに準拠した溶接管理が要求される場合が多い（例えば、特許文献１・２参照）。すなわち、基準に合致した溶接設計が行われ、必要な資格を有する溶接士が認可された溶接方法に基づいて溶接を行い、規定された溶接検査に合格しなければならない。【０００３】
溶接設計においては、配管の材質、呼び径（口径）、呼び肉厚、開先形状等の情報を施工図から読取り、その条件に見合った溶接施工法を溶接継手毎に探し出し、それが設計指示条件に適合しているか否かが確認される。
【先行技術文献】
【特許文献】
【０００４】
【特許文献１】日本国公開特許公報２００７−１９３５５７号
【特許文献２】日本国公開特許公報２００８−５９１１６号
【発明の概要】
【発明が解決しようとする課題】
【０００５】
しかしながら、プラント工事における配管の溶接継手は数万箇所にも及ぶため、溶接継手毎に溶接施工法を決定することは多大な労力を要すると共に、人為的ミスの発生原因ともなっていた。【０００６】
また、溶接の品質を確保するためには溶接施工法を定めるだけではなく、使用する溶接材料や必要とされる溶接資格を保有する溶接士の選定が不可欠である。しかし、１つの溶接施工法に対する溶接材料と溶接資格の組合せは必ずしも１つとは限らないため、特定が困難であった。【０００７】
そこで、本発明は、上記従来技術の問題に鑑み、プラント工事における配管溶接作業および溶接管理作業の信頼性と効率性を向上させる溶接作業管理装置、溶接作業管理システム、溶接作業管理方法、および溶接作業端末を提供することを目的とする。
【課題を解決するための手段】
【０００８】
本発明の請求項１によれば、プラント工事において互いに溶接される配管の間の溶接継手仕様として少なくとも溶接継手の識別子、溶接施工法、開先形状、前記配管の材質、配管呼び径、および配管呼び肉厚を入力する溶接継手仕様入力部と、前記開先形状、前記配管呼び径、および前記配管呼び肉厚を前記溶接部の厚さに関連付けて記憶する溶接部の厚さ特定テーブルと、前記配管の前記材質を分類する母材区分、前記溶接に用いる溶接材料を分類する溶接材料区分、および前記溶接施工法を分類する溶接方法区分を前記溶接施工法に関連付けて記憶する溶接施工法テーブルと、前記入力された前記開先形状、前記配管呼び径、および前記配管呼び肉厚をキーとして前記溶接部の厚さ特定テーブルを参照して前記開先形状、前記配管呼び径、および前記配管呼び肉厚の整合性を検査すると共に、前記材質に係る母材区分をキーとして前記溶接施工法テーブルを参照して前記材質の組合せと前記溶接施工法との整合性を検査する溶接継手仕様検査部と、を備えることを特徴とする溶接作業管理装置が提供される。【０００９】
本発明の請求項５によれば、プラント工事において互いに溶接される配管の間の溶接継手仕様として少なくとも前記配管の材質および溶接施工法を溶接継手に関連付けて記憶する溶接継手仕様テーブルと、前記材質を分類する母材区分、前記溶接に用いる溶接材料を分類する溶接材料区分、および前記溶接施工法を分類する溶接方法区分を前記溶接施工法に関連付けて記憶する溶接施工法テーブルと、前記母材区分および前記溶接材料区分を前記溶接材料に関連付けて記憶する溶接材料特定テーブルと、前記溶接継手仕様テーブルから所望の溶接継手に係る前記溶接施工法および前記材質を取得すると共に、前記溶接施工法テーブルから前記溶接材料区分を取得し、前記取得された材質に係る母材区分と前記溶接材料区分に基づいて前記溶接材料特定テーブルから前記溶接継手に係る前記溶接材料を特定する溶接材料特定部と、を備えることを特徴とする溶接作業管理装置が提供される。【００１０】
本発明の請求項１１によれば、プラント工事において互いに溶接される配管の間の溶接継手仕様に基づいて溶接作業指示情報を作成する溶接作業管理装置と、この溶接作業管理装置から前記溶接作業指示情報を取得する溶接作業端末と、からなり、前記溶接作業管理装置は、前記溶接継手仕様として少なくとも前記配管の材質、開先形状、配管呼び径、配管呼び肉厚、および溶接施工法を溶接継手に関連付けて記憶する溶接継手仕様テーブルと、前記材質を分類する母材区分、前記溶接に用いる溶接材料を分類する溶接材料区分、および前記溶接施工法を分類する溶接方法区分を前記溶接施工法に関連付けて記憶する溶接施工法テーブルと、前記母材区分および前記溶接材料区分を前記溶接材料に関連付けて記憶する溶接材料特定テーブルと、前記溶接継手仕様テーブルから所望の溶接継手に係る前記溶接施工法および前記材質を取得すると共に、前記溶接施工法テーブルから前記溶接材料区分を取得し、前記取得された材質に係る母材区分と前記溶接材料区分に基づいて前記溶接材料特定テーブルから前記溶接継手に係る前記溶接材料を特定する溶接材料特定部と、を備えることを特徴とする溶接作業管理システムが提供される。【００１１】
本発明の請求項１４によれば、プラント工事において互いに溶接される配管の間の溶接継手仕様として溶接継手に前記配管の材質および溶接施工法を関連付けて記憶する溶接継手仕様テーブルから前記溶接継手の識別子をキーとして前記溶接継手仕様を取得する溶接継手仕様取得ステップと、前記材質を分類する母材区分、前記溶接に用いる溶接材料を分類する溶接材料区分、および前記溶接施工法を分類する溶接方法区分を前記溶接施工法に関連付けて記憶する溶接施工法テーブルから前記溶接継手仕様取得ステップにおいて取得された溶接継手仕様に含まれる溶接施工法に基づいて前記溶接材料区分を取得する溶接材料区分取得ステップと、前記母材区分および前記溶接材料区分を前記溶接材料の識別情報に関連付けて記憶する溶接材料特定テーブルから前記溶接継手仕様に含まれる材質に係る母材区分と前記溶接材料区分取得ステップにおいて取得された溶接材料区分に基づいて前記溶接継手に係る前記溶接材料を特定する溶接材料特定ステップと、を有することを特徴とする溶接作業管理方法が提供される。【００１２】
本発明の請求項１７によれば、プラント工事において互いに溶接される配管の間の溶接継手仕様として少なくとも溶接継手の識別子、溶接施工法、開先形状、前記配管の材質、配管呼び径、および配管呼び肉厚を溶接継手仕様入力部に入力し、前記開先形状、前記配管呼び径、および前記配管呼び肉厚を前記溶接の部分の厚さに関連付けて溶接部の厚さ特定テーブルに記憶し、前記配管の前記材質を分類する母材区分、前記溶接に用いる溶接材料を分類する溶接材料区分、および前記溶接施工法を分類する溶接方法区分を前記溶接施工法に関連付けて溶接施工法テーブルに記憶し、前記入力された前記開先形状、前記配管呼び径、および前記配管呼び肉厚をキーとして前記溶接部の厚さ特定テーブルを参照して前記開先形状、前記配管呼び径、および前記配管呼び肉厚の整合性を検査すると共に、前記材質に係る母材区分をキーとして前記溶接施工法テーブルを参照して前記材質の組合せと前記溶接施工法との整合性を検査することを特徴とする溶接作業管理方法が提供される。【００１３】
本発明の請求項２０によれば、プラント工事における配管の溶接作業に必要な溶接資格を含む溶接作業指示情報と溶接士の保有溶接資格情報を格納する溶接作業管理装置に接続されており、前記溶接作業管理装置から溶接継手毎に前記溶接作業指示情報を取得する溶接作業指示取得部と、前記溶接士の識別情報をキーとして前記溶接作業管理装置から前記保有溶接資格情報を取得する保有溶接資格取得部と、前記取得された保有溶接資格情報が前記溶接作業指示取得部において取得された溶接作業指示情報に含まれる溶接資格と一致するか否かを前記溶接継手毎に判定する溶接資格判定部と、前記判定の結果に基づいて警告情報をそれぞれ出力する警告情報出力部と、を備えることを特徴とする溶接作業端末が提供される。
【発明の効果】
【００１４】
本発明によれば、プラント工事における配管溶接作業および溶接管理作業の信頼性と効率性を向上させる溶接作業管理装置、溶接作業管理システム、溶接作業管理方法、および溶接作業端末が提供される。
【図面の簡単な説明】
【００１５】
【図１】本発明の一実施形態に係る溶接作業管理システムの全体構成例を示すブロック図。
【図２】図１に示す溶接継手仕様テーブルの具体例を示す図。
【図３】図１に示す溶接部の厚さ特定テーブルの具体例を示す図。
【図４】図１に示す溶接施工法テーブルの具体例を示す図。
【図５】図１に示す材質／母材区分変換テーブルの具体例を示す図。
【図６】図１に示す溶接施工法／開先形状対応テーブルの具体例を示す図。
【図７】図１に示す溶接材料特定テーブルの具体例を示す図。
【図８】図１に示す溶接資格特定テーブルの具体例を示す図。
【図９】図１に示す保有溶接資格テーブルの具体例を示す図。
【図１０】図１に示す溶接材料出庫情報テーブルの具体例を示す図。
【図１１】図１に示す溶接施工情報テーブルの具体例を示す図。
【図１２】溶接作業指示書の具体例を示す図。
【図１３】溶接施工記録の具体例を示す図。
【図１４】図１に示す溶接作業端末の構成例を示すブロック図。
【図１５】本発明の一実施形態に係る溶接作業管理システムの動作を説明する相関図。
【図１６】図１に示す溶接継手仕様検査部の処理の具体例を示すフローチャート。
【図１７】図１に示す溶接材料特定部の処理の具体例を示すフローチャート。
【図１８】図１に示す溶接資格特定部の処理の具体例を示すフローチャート。
【図１９】溶接継手の具体例を示す図。
【図２０】図１９に示す溶接継手の拡大図。
【図２１】図２０に示すウェルドインサートの切断面Ａ−Ａ′における断面図。
【図２２】溶接継手仕様の検査、登録および溶接材料の特定における各プログラムおよび装置の相関図
【図２３】溶接資格の特定および溶接作業指示における各プログラムおよび装置の相関図。
【図２４】溶接継手識別ラベルの作成における各プログラムおよび装置の相関図。
【図２５】溶接施工情報の登録時における各プログラムおよび装置の相関図。
【図２６】図１４に示す溶接作業端末の各プログラムの相関図。
【発明を実施するための形態】
【００１６】
＜用語の説明＞
本発明の実施形態で使用する溶接作業の用語を最初に説明する。
【００１７】
・「溶接」とは、２個以上の部材を、接合される部材間に連続性があるように熱、圧力、またはその両方によって一体にする操作である。溶接法には多くの種類があるが、（１）被覆アーク溶接のような母材を加熱溶融させて接合する融接法、（２）抵抗溶接のように圧力を加えて接合する圧接法、および（３）母材そのものは溶融させずに、母材より低い融点の合金を溶加材として用いて接合するろう付け法、の大きく３種類に分類される。
【００１８】
・「溶接継手(Weld joint)」とは、溶接される継手である。図１９は、溶接継手の具体例を示す図である。  
・「母材(Base metal)」とは、溶接される側の金属（材料）である。  
・「開先形状(Joint design)」とは、溶接する母材間に設ける溝（開先）の形状であり、Ｉ型開先、Ｖ型開先、Ｙ型開先など多数の種類がある。開先の形状・寸法は、溶接結果と密接なつながりがある。図２０は、図１９に示す溶接継手の拡大図である。  
・「配管呼び径(Pipe diameter)」とは、配管の公称外径（100A、50A等）である。  
・「配管呼び肉厚(Pipe thickness)」とは、配管の公称厚さ（S40、S80等）である。尚、「S」はスケジュールの略である。  
・「溶接棒（Covered electrode）」とは、被覆アーク溶接に使用する溶接材料（被覆アーク溶接棒）である。  
・「溶加材（Filler metal）」とは、溶接中に付加される金属（ティグ溶接に使用する溶接材料）である。  
・「ウェルドインサート（Consumable insert）」とは、突合せ溶接において、予めルート部に置く母材と同系統の金属材料であり、インサートリングと呼ぶことが多い。図２１は、図２０に示すウェルドインサートのＡ−Ａ′における断面図である。
【００１９】
＜実施形態＞
以下、本発明の実施形態について図面を用いて説明する。図１は、本発明の一実施形態に係る溶接作業管理システムの全体構成例を示す図である。同図に示されるように、本実施形態に係る溶接作業管理システムは、溶接作業管理装置１０、溶接作業端末２０、プリンタ３０、およびラベルプリンタ４０から構成されている。
【００２０】
溶接作業管理装置１０は、プラント工事における配管の溶接継手（溶接部）の仕様（以下、「溶接継手仕様」という。）に基づいて溶接士に対して溶接方法や施工場所などを指示する各種の情報（以下、「溶接作業指示情報」という。）を作成するコンピュータである。
【００２１】
溶接作業端末２０は、この溶接作業管理装置１０から溶接作業指示情報を取得するコンピュータであり、溶接士はこの端末に表示される溶接作業指示情報に基づいて溶接作業を行う。
【００２２】
図１に示されるように、溶接作業管理装置１０は、データベース部１０１、溶接継手仕様入力部１０２、溶接継手仕様検査部１０３、溶接継手仕様登録部１０４、溶接材料特定部１０５、溶接資格特定部１０６、溶接作業指示部１０７、溶接継手識別ラベル作成部１０８、溶接材料出庫管理部１０９、溶接施工情報管理部１１０、およびデータ通信部１１１から構成されている。
【００２３】
データベース部１０１は、溶接継手仕様テーブル１０１ａ、溶接部の厚さ特定テーブル１０１ｂ、溶接施工法テーブル１０１ｃ、材質／母材区分変換テーブル１０１ｄ、溶接施工法／開先形状対応テーブル１０１ｅ、溶接材料特定テーブル１０１ｆ、溶接資格特定テーブル１０１ｇ、保有溶接資格テーブル１０１ｈ、溶接材料出庫情報テーブル１０１ｉ、および溶接施工情報テーブル１０１ｊを備えたデータベースである。
【００２４】
溶接継手仕様テーブル１０１ａは、プラント工事において互いに溶接される配管の間の溶接継手仕様として少なくとも配管の材質、開先形状、配管呼び径、配管呼び肉厚、溶接施工法管理番号、および施工場所を溶接継手番号に関連付けて記憶するテーブルである。図２は、溶接継手仕様テーブル１０１ａの具体例を示す図である。
【００２５】
溶接部の厚さ特定テーブル１０１ｂは、配管の開先形状、配管呼び径（配管口径）、および配管呼び肉厚を溶接部の厚さに関連付けて記憶するテーブルである。図３は、溶接部の厚さ特定テーブル１０１ｂの具体例を示す図である。
【００２６】
溶接施工法テーブル１０１ｃは、配管の材質を分類する母材区分、溶接に用いる溶接材料（溶接棒／溶加材）を分類する溶接材料区分、および溶接施工法管理番号を分類する溶接方法区分を溶接施工法管理番号に関連付けて記憶するテーブルである。図４は、溶接施工法テーブル１０１ｃの具体例を示す図である。
【００２７】
材質／母材区分変換テーブル１０１ｄは、配管の材質と母材区分を関連付けて記憶するテーブルである。図５は、材質／母材区分変換テーブル１０１ｄの具体例を示す図である。
【００２８】
溶接施工法／開先形状対応テーブル１０１ｅは、溶接施工法管理番号と開先形状を関連付けて記憶するテーブルである。図６は、溶接施工法／開先形状対応テーブル１０１ｅの具体例を示す図である。
【００２９】
溶接材料特定テーブル１０１ｆは、配管の母材区分、配管の材質、および溶接材料区分を溶接材料（溶接材料銘柄）に関連付けて記憶するテーブルである。図７は、溶接材料特定テーブル１０１ｆの具体例を示す図である。
【００３０】
溶接資格特定テーブル１０１ｇは、溶接方法区分、母材区分、および配管呼び径を溶接作業に必要な溶接資格に関連付けて記憶するテーブルである。図８は、溶接資格特定テーブル１０１ｇの具体例を示す図である。
【００３１】
保有溶接資格テーブル１０１ｈは、溶接士の識別情報と保有溶接資格を関連付けて記憶するテーブルである。図９は、保有溶接資格テーブル１０１ｈの具体例を示す図である。
【００３２】
溶接材料出庫情報テーブル１０１ｉは、溶接士が溶接作業のために出庫した溶接材料の銘柄、製造番号、数量などを溶接材料出庫情報として記憶するテーブルである。図１０は、溶接材料出庫情報テーブル１０１ｉの具体例を示す図である。
【００３３】
溶接施工情報テーブル１０１ｊは、溶接士が溶接作業に使用した溶接作業端末２０から取得される溶接施工情報を記憶するテーブルである。図１１は、溶接施工情報テーブル１０１ｊの具体例を示す図である。
【００３４】
図２２は、溶接継手仕様の検査、登録および溶接材料の特定における各プログラムおよび装置の相関図である。
【００３５】
溶接継手仕様入力部１０２は、図２２に示されるように、ＧＵＩ（Graphical User Interface）によって表示される登録画面を介して溶接継手仕様として溶接継手番号、溶接施工法管理番号、開先形状、配管の材質、配管呼び径、および配管呼び肉厚などを入力するプログラムである。
【００３６】
溶接継手仕様検査部１０３は、図２２に示されるように、溶接継手仕様入力部１０２において入力された開先形状、配管呼び径、および配管呼び肉厚をキーとして溶接部の厚さ特定テーブル１０１ｂを参照して開先形状、配管呼び径、および配管呼び肉厚の整合性を検査すると共に、材質に係る母材区分をキーとして溶接施工法テーブル１０１ｃを参照して配管の材質の組合せと溶接施工法との整合性を検査するプログラムである。
【００３７】
溶接継手仕様登録部１０４は、図２２に示されるように、溶接継手仕様検査部１０３における検査結果に基づいて溶接継手仕様入力部１０２において入力された溶接継手仕様を溶接継手仕様テーブル１０１ａに登録するプログラムである。溶接継手仕様テーブル１０１ａには、溶接継手（溶接部）のそれぞれに付番された識別番号（溶接番号）を登録単位として溶接継手仕様が格納される。
【００３８】
溶接材料特定部１０５は、図２２に示されるように、溶接継手仕様テーブル１０１ａから所望の溶接継手に係る溶接施工法管理番号および配管の材質を取得すると共に、溶接施工法テーブル１０１ｃから溶接材料区分を取得し、取得された材質に係る母材区分と溶接材料区分に基づいて溶接材料特定テーブル１０１ｆから溶接継手に係る溶接材料を特定するプログラムである。
【００３９】
図２３は、溶接資格の特定および溶接作業指示における各プログラムおよび装置の相関図である。同図に示されるように、溶接資格特定部１０６は、溶接継手仕様テーブル１０１ａから所望の溶接継手に係る配管の材質、開先形状、配管呼び径、配管呼び肉厚、および溶接施工法管理番号を取得すると共に、溶接施工法テーブル１０１ｃから溶接方法区分、溶接部の厚さ特定テーブル１０１ｂから溶接部の厚さをそれぞれ取得し、配管の材質に係る母材区分、溶接部の厚さ、および溶接方法区分に基づいて溶接資格特定テーブル１０１ｇから溶接継手毎に溶接作業に必要な溶接資格（以下、「必要溶接資格」という。）を特定するプログラムである。
【００４０】
溶接作業指示部１０７は、図２３に示されるように、溶接継手の識別番号をキーとして溶接継手仕様テーブル１０１ａから取得される溶接継手仕様に基づいて溶接材料特定部１０５で特定された溶接材料と溶接資格特定部１０６で特定された必要溶接資格を溶接継手毎に関連付けた溶接作業指示情報を作成するプログラムである。また、溶接作業指示部１０７は、溶接施工情報管理部１１０に溶接作業指示情報を出力し、溶接作業の作業結果を含まない溶接施工情報として溶接施工情報テーブル１０１ｊに格納させる。また、溶接作業指示情報は、利用者からの出力要求に応じて溶接作業指示書としてプリンタ３０から出力される。同様に、溶接施工作業の詳細情報として溶接施工要領詳細も出力される。図１２は、溶接作業指示書の具体例を示す図である。
【００４１】
図２４は、溶接継手識別ラベルの作成におけるプログラムおよび装置の相関図である。同図に示されるように、溶接継手識別ラベル作成部１０８は、溶接継手識別情報をラベルプリンタ４０へ出力し、溶接継手識別ラベルを作成させるプログラムである。
【００４２】
図２５は、溶接施工情報の登録時における各プログラムおよび装置の相関図である。同図に示されるように、溶接材料出庫管理部１０９は、溶接作業を行うにあたり必要な資材（溶接棒/溶加材等）を溶接資材倉庫から払出しを受けるための溶接材料出庫伝票を作成するプログラムである。溶接作業に必要な資材は、溶接作業端末２０に取込まれた溶接作業指示情報に基づいて溶接作業端末２０の画面にリストアップされ、溶接士が必要な数量を端末から入力することにより自動的に作成される。
【００４３】
また、溶接材料出庫管理部１０９は、図２５に示されるように、溶接士が起草した出庫伝票の情報が登録されている溶接作業端末２０が溶接資材倉庫にて溶接作業管理装置１０に接続された溶接資材倉庫管理者端末（図示省略する）に接続されると、その出庫情報を端末に表示する。そして、溶接資材倉庫管理者から出庫数量および溶接材料の製造番号等が入力されると、出庫情報を溶接材料出庫情報テーブル１０１ｉに登録する。
【００４４】
溶接施工情報管理部１１０は、図２５に示されるように、溶接士が溶接作業において入力した溶接施工情報を溶接作業端末２０から取得すると共に、この溶接施工情報を溶接施工情報テーブル１０１ｊに登録するプログラムである。また、登録された溶接施工情報は利用者の出力要求に応じて溶接施工記録としてプリンタ３０から出力される。図１３は、溶接施工記録の具体例を示す図である。
【００４５】
データ通信部１１１は、溶接作業端末２０から有線若しくは無線により送信されるデータを通信装置（図示省略する）で受信すると共に、溶接作業管理装置１０の各部において作成されたデータや処理要求を溶接作業端末２０へ送信するプログラムである。
【００４６】
図１４は、溶接作業端末２０の構成例を示すブロック図である。同図に示されるように、溶接作業端末２０は、端末通信部２０１、保有溶接資格取得部２０２、溶接作業指示取得部２０３、溶接資格判定部２０４、溶接継手判定部２０５、警告情報出力部２０６、溶接施工情報管理部２０７、および溶接施工情報記憶部２０８を備えている。また、図２６は、図１４に示す溶接作業端末の各プログラムの相関図である。
【００４７】
端末通信部２０１は、溶接作業管理装置１０から有線若しくは無線により送信されるデータを通信装置（図示省略する）で受信すると共に、溶接作業端末２０の各部において作成されたデータや処理要求を溶接作業管理装置１０へ送信するプログラムである。
【００４８】
保有溶接資格取得部２０２は、端末通信部２０１を介し、溶接士の識別情報をキーとして保有溶接資格テーブル１０１ｈを参照して溶接士の保有溶接資格を取得するプログラムである。
【００４９】
溶接作業指示取得部２０３は、端末通信部２０１を介し、溶接作業管理装置１０において作成された溶接作業指示情報を取得するプログラムである。本実施形態では、溶接作業指示書にバーコードで表記されている溶接作業指示番号をバーコードリーダ（図示省略する）によって読取り、この溶接作業指示番号をキーとして溶接作業管理装置１０から溶接作業指示情報を取得する。
【００５０】
溶接資格判定部２０４は、溶接作業指示取得部２０３において取得された溶接作業指示情報に含まれる必要溶接資格と保有溶接資格取得部２０２において取得された保有溶接資格が適合するか否かを溶接継手毎に判定するプログラムである。
【００５１】
溶接継手判定部２０５は、溶接継手に貼り付けられている溶接継手識別ラベルのバーコードがバーコードリーダ（図示省略する）によって読込まれると、当該溶接継手が溶接作業仕様において指示された溶接継手であるか否かを判定するプログラムである。
【００５２】
警告情報出力部２０６は、溶接資格判定部２０４および溶接継手判定部２０５における判定の結果に基づいて警告情報を端末に備えられている表示装置（図示省略する）へ出力するプログラムである。尚、警告情報の出力方法は画面表示に限らず、音声、光、振動などによって行っても良い。
【００５３】
溶接施工情報管理部２０７は、溶接作業指示取得部２０３において取得される溶接作業指示情報に対して作業結果情報を付加した溶接施工情報を作成し、これを溶接施工情報記憶部２０８に登録するプログラムである。
【００５４】
図１５は、本発明の一実施形態に係る溶接作業管理システムの動作を説明する相関図である。先ず、溶接作業管理装置１０において溶接継手仕様が作成されると、プリンタ３０から溶接作業指示書が出力される。
【００５５】
次に、図２４に示されるように、溶接作業管理装置１０（溶接継手識別ラベル作成部１０８）において、溶接継手仕様が決定されると、ラベルプリンタ４０からは溶接継手識別ラベルが出力され、このラベルは該当する配管に貼り付けられる。
【００５６】
次に、溶接作業の準備段階として、溶接士が溶接作業端末２０のＩＣカードリーダ（図示省略する）を用いて自身の所有するＩＣカード（従業者カードなど）から溶接士識別情報を読取ると、この溶接士識別情報をキーとして溶接作業管理装置１０から当該溶接士の保有溶接資格が取得される。また、溶接作業端末２０のバーコードリーダ（図示省略する）を用いて溶接作業指示書に記載されたバーコードを読取ると、このバーコードが表す溶接作業指示番号をキーとして溶接作業管理装置１０から溶接作業指示情報が取得される。
【００５７】
また、図２６に示されるように、溶接作業端末２０では取得された保有溶接資格と溶接作業指示情報の必要溶接資格が比較され、溶接士が溶接作業に必要な資格を所有しているか否かの判定処理が行われる。同様に、溶接士が溶接作業端末２０のバーコードリーダ（図示省略する）を用いて配管に貼り付けられた溶接継手識別ラベルに記載されたバーコードを読取ると、溶接継手識別情報が溶接作業指示情報の溶接継手番号（溶接継手番号）と比較され、溶接継手が溶接作業の対象か否かの判定処理が行われる。各判定処理において溶接作業の実施条件を満たしていると判定された場合には、溶接士は溶接作業端末２０によって溶接作業を行い、溶接施工記録を作成する。
【００５８】
次に、この溶接施工記録は、図２５に示されるように、溶接作業管理装置１０（溶接施行情報管理部１１０）に送信され、データベース部１０１（溶接施工情報テーブル１０１ｊ）に格納される。そして、溶接作業管理装置１０において溶接施工記録の出力要求がなされると、プリンタ３０から溶接作業指示書が出力され、一連の処理が終了する。
【００５９】
以下、溶接継手仕様検査部１０３、溶接材料特定部１０５、および溶接資格特定部１０６の処理を詳細に説明する。
【００６０】
＜溶接継手仕様の検査＞
図１６は、溶接継手仕様検査部１０３の処理の具体例を示すフローチャートである。
【００６１】
Ｓ１６０１においては、図２２に示されるように、溶接継手仕様入力部１０２から登録画面（図示省略する）を介して入力された溶接継手仕様（材質、開先形状、配管呼び径、配管呼び肉厚、溶接施工法管理番号、およびウェルドインサートサイズなど）を取得する。例えば、溶接継手仕様として“溶接番号（溶接継手番号）：４５６−０１、配管呼び径：５０Ａ、配管呼び肉厚：Ｓ８０、溶接施工管理番号：ＤＷＰ０１４、開先形状：Ａ、母材（１）の材質：ＳＵＳ３０４ＴＰ、母材（２）の材質：ＳＵＳ３０４ＴＰ”などが取得される。
【００６２】
Ｓ１６０２においては、溶接継手仕様に含まれる開先形状、配管呼び径、および配管呼び肉厚に基づいて溶接部の厚さ特定テーブル１０１ｂを参照し、これらの組合せが適切か否かを判定する。ここで、入力された溶接継手仕様に含まれる開先形状、配管呼び径、および配管呼び肉厚の組合せが溶接部の厚さ特定テーブル１０１ｂに存在し、組合せが適切と判定された場合には、Ｓ１６０３へ進む。これに対し、これらの組合せが不適切と判定された場合には、Ｓ１６０８へ進む。例えば、図３に示される溶接部の厚さ特定テーブル１０１ｂを参照すると、“開先形状：Ａ、配管呼び径：５０Ａ、配管呼び肉厚：Ｓ８０”の組合せはテーブル内に存在するため適切と判断されるが、“開先形状：Ａ、配管呼び径：１０Ａ、配管呼び肉厚：Ｓ４０”の組合せはテーブル内に存在しないため不適切と判断される。
【００６３】
Ｓ１６０３においては、溶接継手仕様に含まれる母材（１）および母材（２）の材質に基づいて材質／母材区分変換テーブル１０１ｄを参照し、対応する母材区分を取得する。例えば、図５に示される材質／母材区分変換テーブル１０１ｄを参照すると、溶接継手仕様に含まれる材質が“ＳＵＳ３０４ＴＰ”の場合には、母材区分として“Ｐ−８”が取得される。
【００６４】
Ｓ１６０４においては、溶接対象となる母材（１）および母材（２）の母材区分と溶接施工法管理番号に基づいて溶接施工法テーブル１０１ｃを参照し、配管材料の組合せが適切か否かを判定する。ここで、配管材料の組合せが適切と判定された場合には、Ｓ１６０５へ進む。これに対し、母材（１）および母材（２）の組合せが不適切と判定された場合には、Ｓ１６０８へ進む。例えば、図４に示される溶接施工法テーブル１０１ｃを参照すると、母材（１）および母材（２）の母材区分が共に“Ｐ−８”であり溶接施工法番号が“ＤＷＰ０１４”の場合には、データがテーブル内に存在するので、適切と判定される。また、母材（１）および母材（２）の母材区分がそれぞれ“Ｐ−１”、“Ｐ−５−１”であり溶接施工法番号が“ＤＷＰ０１４”の場合には、対応するデータがテーブル内に存在しないため不適切と判定される。
【００６５】
Ｓ１６０５においては、溶接継手仕様に含まれる開先形状および溶接施工法管理番号に基づいて溶接施工法／開先形状対応テーブル１０１ｅを参照し、溶接施工法に対して開先形状が適切か否かを判定する。ここで、開先形状が適切と判定された場合には、Ｓ１６０６へ進む。これに対し、開先形状が不適切と判定された場合には、Ｓ１６０８へ進む。例えば、図６に示される溶接施工法／開先形状対応テーブル１０１ｅを参照すると、溶接継手仕様に含まれる溶接施工法管理番号が“ＤＷＰ０１４”の場合には、開先形状が“Ａ”ならば適切であるが、“Ｑ”の場合には不適切と判定される。
【００６６】
Ｓ１６０６においては、溶接継手仕様におけるウェルドインサートサイズの指定の有無が判定される。ここで、ウェルドインサートサイズの指定有りと判定された場合には、Ｓ１６０７へ進む。これに対し、ウェルドインサートサイズの指定無しと判定された場合には、処理を終了する。
【００６７】
Ｓ１６０７においては、溶接継手仕様に含まれる溶接施工法管理番号に基づいて溶接施工法テーブル１０１ｃを参照し、溶接施工法に対してウェルドインサートの有無が適切か否かを判定する。ここで、ウェルドインサートの有無が適切と判定された場合には、処理を終了する。これに対し、ウェルドインサートの有無が不適切と判定された場合には、Ｓ１６０８へ進む。例えば、図４に示される溶接施工法テーブル１０１ｃを参照すると、溶接継手仕様にウェルドインサートのサイズが指定されており、溶接施工法管理番号が“ＤＷＰ０１４”の場合には、テーブル内でウェルドインサートを使用しないと定義されているので、不適切と判定される。  
Ｓ１６０８においては、該当するエラーメッセージを表示装置（図示省略する）に出力して訂正入力を促し、処理を終了する。
【００６８】
＜溶接材料の特定＞
図１７は、溶接材料特定部１０５の処理の具体例を示すフローチャートである。
【００６９】
Ｓ１７０１においては、図２２に示されるように、溶接継手番号をキーとして溶接継手仕様テーブル１０１ａを参照し、溶接継手仕様（材質、および溶接施工法管理番号）を取得する。例えば、図２に示される溶接継手仕様テーブル１０１ａを参照すると、溶接番号（溶接継手番号）が“４５６−０１”の溶接継手仕様として“配管呼び径：５０Ａ、配管呼び肉厚：Ｓ８０、溶接施工管理番号：ＤＷＰ０１４、開先形状：Ａ、母材（１）の材質：ＳＵＳ３０４ＴＰ、母材（２）の材質：ＳＵＳ３０４ＴＰ”が取得される。
【００７０】
Ｓ１７０２においては、溶接継手仕様に含まれる母材（１）および母材（２）の材質に基づいて材質／母材区分変換テーブル１０１ｄを参照し、対応する母材区分を取得する。例えば、図５に示される材質／母材区分変換テーブル１０１ｄを参照すると、溶接継手仕様に含まれる材質が“ＳＵＳ３０４ＴＰ”の場合には、母材区分として“Ｐ−８”が取得される。
【００７１】
Ｓ１７０３においては、溶接継手仕様に含まれる溶接施工法管理番号をキーとして溶接施工法テーブル１０１ｃを参照し、ウェルドインサートの有無を取得する。例えば、図４に示される溶接施工法テーブル１０１ｃを参照すると、溶接施工法管理番号が“ＤＷＰ０１４”の場合には、ウェルドインサート無しの情報が取得される。
【００７２】
Ｓ１７０４においては、溶接継手仕様に含まれる溶接施工法管理番号をキーとして溶接施工法テーブル１０１ｃを参照し、母材（１）および母材（２）の溶接材料区分（溶接棒区分および溶加材区分）をそれぞれ取得する。例えば、図４に示される溶接施工法テーブル１０１ｃを参照すると、溶接施工法管理番号が“ＤＷＰ０１４”の場合には、“溶接棒区分：なし、溶加材区分：Ｒ−１”が取得される。
【００７３】
Ｓ１７０５においては、取得された母材（１）および母材（２）の母材区分、ウェルドインサートの有無、および溶接材料区分に基づいて溶接材料特定テーブル１０１ｆを参照し、溶接材料（溶接材料の銘柄など）を特定し、処理を終了する。例えば、図７に示される溶接材料特定テーブル１０１ｆを参照すると、“溶接材料区分：Ｒ−１、ウェルドインサート：無、母材（１）および母材（２）の母材区分：Ｐ−８、材質：ＳＵＳ３０４”の場合には、溶接材料銘柄として“ＷＭ３０８”が特定される。
【００７４】
＜溶接資格の特定＞
図１８は、溶接資格特定部１０６の処理の具体例を示すフローチャートである。
【００７５】
Ｓ１８０１においては、図２３に示されるように、溶接継手番号をキーとして溶接継手仕様テーブル１０１ａを参照し、溶接継手仕様（材質、開先形状、配管呼び径、配管呼び肉厚、および溶接施工法管理番号）を取得する。例えば、図２に示される溶接継手仕様テーブル１０１ａを参照すると、溶接番号（溶接継手番号）が“４５６−０１”の溶接継手仕様として“配管呼び径：５０Ａ、配管呼び肉厚：Ｓ８０、溶接施工管理番号：ＤＷＰ０１４、開先形状：Ａ、母材（１）の材質：ＳＵＳ３０４ＴＰ、母材（２）の材質：ＳＵＳ３０４ＴＰ”が取得される。
【００７６】
Ｓ１８０２においては、溶接継手仕様に含まれる母材（１）および母材（２）の材質に基づいて材質／母材区分変換テーブル１０１ｄを参照し、対応する母材区分を取得する。例えば、図５に示される材質／母材区分変換テーブル１０１ｄを参照すると、溶接継手仕様に含まれる材質が“ＳＵＳ３０４ＴＰ”の場合には、母材区分として“Ｐ−８”が取得される。
【００７７】
Ｓ１８０３においては、溶接継手仕様に含まれる配管呼び径、配管呼び肉厚、および開先形状に基づいて溶接部の厚さ特定テーブル１０１ｂを参照し、溶接部の厚さを取得する。例えば、図３に示される溶接部の厚さ特定テーブル１０１ｂを参照すると、“配管呼び径：５０Ａ、配管呼び肉厚：Ｓ８０、開先形状：Ａ”の場合には、溶接部の厚さが、４．９５ｍｍと特定される。
【００７８】
Ｓ１８０４においては、溶接継手仕様に含まれる溶接施工法管理番号をキーとして溶接施工法テーブル１０１ｃを参照し、溶接方法区分を取得する。
【００７９】
Ｓ１８０５においては、取得された母材（１）および母材（２）の母材区分、溶接部の厚さ、および溶接方法区分に基づいて溶接資格特定テーブル１０１ｇを参照し、溶接作業に必要な溶接資格を特定し、処理を終了する。例えば、図８に示される溶接資格特定テーブル１０１ｇを参照すると、“母材（１）・（２）の母材区分：Ｐ−８、母材（１）・（２）の材質：ＳＵＳ３０４ＴＰ、配管呼び径：５０Ａ、溶接方法区分：Ｔ”の場合には、必要溶接資格として“ＷＳＴ４４６Ｇ”が特定される。したがって、溶接作業指示情報に必要溶接資格として“ＷＳＴ４４６Ｇ”が記載され、図９に示される保有溶接資格テーブル１０１ｈを参照すれば“溶接士番号：０８０７０７、氏名：山田一郎”の溶接士が必要な溶接資格を保有していることが分かる。
【００８０】
＜本実施形態の効果＞
上記のように、本実施形態に係る溶接作業管理システムを構成することにより、以下の効果が奏される。  
（１）溶接作業に使用する溶接材料および溶接作業に係る必要溶接資格を容易に特定できる。  
（２）溶接継手仕様の不整合を防止することができるので、溶接継手仕様の設計品質が向上する。  
（３）溶接作業および溶接管理作業の効率性と信頼性の向上が図られる。例えば、溶接継手毎の進捗状況や溶接材料の使用状況等をデータベース群より正確に把握することが出来る。  
（４）溶接作業前に溶接継手仕様から導かれる必要溶接資格と溶接士の保有溶接資格が比較されるので、適切な溶接士により溶接作業を行うことができる。  
（５）施工後の配管検査においては、データベースの記憶内容に基づいて溶接継手毎の検査の進捗状況に応じた検査一覧表を出力できるので、検査ステップの間違いや検査項目のスキップを防止できる。また、施工図の改訂が行われる度に検査一覧表の記載内容を変更する必要が無くなるため、作業の省力化が図られる。
【００８１】
尚、本発明は上記実施形態そのままに限定されるものではなく、実施段階ではその要旨を逸脱しない範囲で構成要素を変形して具体化できる。また、上記実施形態に開示されている複数の構成要素の適宜な組み合わせにより、種々の発明を形成できる。例えば、実施形態に示される全構成要素から幾つかの構成要素を削除してもよい。
【符号の説明】
【００８２】
１０…溶接作業管理装置、
２０…溶接作業端末、
３０…プリンタ、
４０…ラベルプリンタ
１０１…データベース部
１０１ａ…溶接継手仕様テーブル
１０１ｂ…溶接部の厚さ特定テーブル
１０１ｃ…溶接施工法テーブル
１０１ｄ…材質／母材区分変換テーブル
１０１ｅ…溶接施工法／開先形状対応テーブル
１０１ｆ…溶接材料特定テーブル
１０１ｇ…溶接資格特定テーブル
１０１ｈ…保有溶接資格テーブル
１０１ｉ…溶接材料出庫情報テーブル
１０１ｊ…溶接施工情報テーブル
１０２…溶接継手仕様入力部
１０３…溶接継手仕様検査部
１０４…溶接継手仕様登録部
１０５…溶接材料特定部
１０６…溶接資格特定部
１０７…溶接作業指示部
１０８…溶接継手識別ラベル作成部
１０９…溶接材料出庫管理部
１１０…溶接施工情報管理部
１１１…データ通信部
２０１…端末通信部
２０２…保有溶接資格取得部
２０３…溶接作業指示取得部
２０４…溶接資格判定部
２０５…溶接継手判定部
２０６…警告情報出力部
２０７…溶接施工情報管理部
２０８…溶接施工情報記憶部
【図１】
2010106816.tif 000003
【図２】
2010106816.tif 000004
【図３】
2010106816.tif 000005
【図４】
2010106816.tif 000006
【図５】
2010106816.tif 000007
【図６】
2010106816.tif 000008
【図７】
2010106816.tif 000009
【図８】
2010106816.tif 000010
【図９】
2010106816.tif 000011
【図１０】
2010106816.tif 000012
【図１１】
2010106816.tif 000013
【図１２】
2010106816.tif 000014
【図１３】
2010106816.tif 000015
【図１４】
2010106816.tif 000016
【図１５】
2010106816.tif 000017
【図１６】
2010106816.tif 000018
【図１７】
2010106816.tif 000019
【図１８】
2010106816.tif 000020
【図１９】
2010106816.tif 000021
【図２０】
2010106816.tif 000022
【図２１】
2010106816.tif 000023
【図２２】
2010106816.tif 000024
【図２３】
2010106816.tif 000025
【図２４】
2010106816.tif 000026
【図２５】
2010106816.tif 000027
【図２６】
2010106816.tif 000028
【国際調査報告】
2010106816.tif 000029
2010106816.tif 000030
2010106816.tif 000031
2010106816.tif 000032